(57)【要約】【課題】デジタル放送受信装置の受信状態を的確に管理して、常に最新の情報を用いて容易にチャンネル更新を行う。【解決手段】受信状態管理装置１からデジタル放送受信装置（受信機６）に対して、当該デジタル放送受信装置（受信機６）の設置場所における受信可能チャンネルおよび受信状態の状態を送信する。受信状態管理装置１は、デジタル放送受信装置（受信機６）からその受信位置および受信状態の情報を得て、受信状態の管理情報を更新する。【選択図】          図１
2004254091.tif 000002
【特許請求の範囲】
【請求項１】
デジタル放送の受信状態を管理するための装置であって、
デジタル放送受信装置との間で各種情報およびデータをやり取りするための通信手段と、
通信中の前記デジタル放送受信装置の位置に対応する受信可能チャンネルおよび受信状態についての情報を前記デジタル放送受信装置に送信するための手段と、
複数の前記デジタル放送受信装置と通信を行い、各デジタル放送受信装置の受信位置および受信状態の情報を得るための手段と、
前記各デジタル放送受信装置から得た受信状態の情報を用いて受信状態の管理情報を更新するための手段とを備えたことを特徴とする受信状態管理装置。
【請求項２】
デジタル放送の受信状態を管理するための受信状態管理装置との間で各種情報およびデータをやり取りするためのデジタル放送受信装置であって、
前記受信状態管理装置と通信を行い、自己の受信地点における受信可能チャンネルと受信状態についての情報を得るための手段と、
受信状態についての情報を前記受信状態管理装置に送信するための手段とを備えたことを特徴とするデジタル放送受信装置。
【請求項３】
移動体通信により通信を行うための移動体通信手段を備え、
前記受信状態管理装置との通信では移動体通信による通信を行うことを特徴とする請求項２記載のデジタル放送受信装置。
【請求項４】
移動体通信可能なデジタル放送受信装置が移動体通信により通信している移動体通信基地局の位置に基づいて通信相手のデジタル放送受信装置の位置を認識するための手段を備え、
前記移動体通信基地局単位の受信状態管理を行うことを特徴とする請求項１記載の受信状態管理装置。
【請求項５】
通信により、画像、文字情報および音声を前記デジタル放送受信装置に送信するための手段を備え、
前記デジタル放送受信装置側で画像、文字情報および音声を出力することを可能としたことを特徴とする請求項１記載の受信状態管理装置。
【請求項６】
受信状態管理装置から送信された画像、文字情報および音声をユーザーに対して出力するための手段を備え、
有用情報の通知や広告等の提供を行うことを特徴とする請求項２記載のデジタル放送受信装置。
【請求項７】
前記デジタル放送受信装置のソフトウエアを変更するためのソフトウエアモジュールを、前記デジタル放送受信装置を使用する地域に対応させて保持するための手段を備え、
前記デジタル放送受信装置に対して所望のソフトウエアモジュールを送信することを特徴とする請求項１記載の受信状態管理装置。
【請求項８】
受信状態管理装置と通信を行うことにより、ソフトウエアモジュールを得るための手段と、
該ソフトウエアモジュールを追加あるいは置き換えることにより諸機能を変更するための手段とを備えたことを特徴とする請求項２記載のデジタル放送受信装置。
【発明の詳細な説明】
【０００１】
【発明の属する技術分野】
本発明は、デジタル放送における受信状態管理装置およびデジタル放送受信装置に関し、特にデジタル地上波放送に適したものである。
【０００２】
【従来の技術】
デジタル地上波放送は、そのサービス開始からしばらくの間、放送サービスが段階的に開始されていくことが想定されるため、位置固定の受信においても受信可能チャンネルはサービス開始時期によって変化することになる。また、移動を伴う受信の場合には、サービス開始時期が変わらなくとも、移動に伴い受信可能チャンネルが変化する。
【０００３】
移動を伴う受信における受信チャンネルの処理に関する技術として、受信位置を判定するためのＧＰＳ機能と、地域毎の受信可能チャンネルをあらかじめ記憶したチャンネルメモリを備えており、ＧＰＳ機能によって検出した受信位置に該当する受信可能チャンネルを、チャンネルメモリから呼び出して使用するものがある（例えば、特許文献１参照）。
しかしながら、デジタル地上波放送のように、受信可能チャンネルがサービスの提供状況に応じて時間的に変化するシステムでは、この方法は使用できない。
【０００４】
このほか、地上波のデジタル放送受信装置では、チューナーの受信周波数を移動させながら受信可能なチャンネルを検出する方法が考えられる。固定受信では、一旦受信チャンネルを検出してしまえば更新の必要はあまり無いが、移動を伴う受信においてはチャンネル検出が頻繁に必要となり、しかもチャンネルサーチ中には視聴が制限されてしまう。また、チャンネルサーチには比較的長い時間を必要とするため、使い勝手が悪くなる。
【０００５】
【特許文献１】
特開平５−８３６４８号公報
【０００６】
【発明が解決しようとする課題】
上述したように、移動を伴う受信においては、受信可能チャンネルが頻繁に変わってしまい、その度にチャンネルサーチが必要になってしまう。そして、視聴時にはチャンネルサーチを行うことができないので、視聴を中断してチャンネルサーチを行うことになる。
【０００７】
また、従来の技術では、デジタル放送受信装置（例えばテレビジョン受信機）の受信状態についての情報を収集管理するシステムが無いため、正確な受信可能チャンネルとサービスエリアを知る方法がなかった。
【０００８】
さらに、たとえテレビジョン受信機から通信によって受信状態を受け取ることができたとしても、従来のテレビジョン受信機では、その位置を認識することができなかった。さらに、受信状態の管理センターを設けたとしても、当該管理センターを運営するための収入等が必要であるとともに、その他の種々の制約がある。
【０００９】
本発明は、上述した事情に鑑みてなされたもので、デジタル放送受信装置の受信状態を的確に管理して、容易にチャンネル更新を行うことができる受信状態管理装置およびデジタル放送受信装置を提供することを目的とする。
【００１０】
【課題を解決するための手段】
本発明に係る受信状態管理装置は、デジタル放送の受信状態を管理するための装置であって、デジタル放送受信装置との間で各種情報およびデータをやり取りするための通信手段と、通信中の前記デジタル放送受信装置の位置に対応する受信可能チャンネルおよび受信状態についての情報を前記デジタル放送受信装置に送信するための手段と、複数の前記デジタル放送受信装置と通信を行い、各デジタル放送受信装置の受信位置および受信状態の情報を得るための手段と、前記各デジタル放送受信装置から得た受信状態の情報を用いて受信状態の管理情報を更新するための手段とを備えたことを特徴とするものである。
【００１１】
また、本発明に係るデジタル放送受信装置は、デジタル放送の受信状態を管理するための受信状態管理装置との間で各種情報およびデータをやり取りするためのデジタル放送受信装置であって、前記受信状態管理装置と通信を行い、自己の受信地点における受信可能チャンネルと受信状態についての情報を得るための手段と、受信状態についての情報を前記受信状態管理装置に送信するための手段とを備えたことを特徴とするものである。
【００１２】
すなわち、本発明では、受信状態管理装置からデジタル放送受信装置に対して、当該デジタル放送受信装置の設置場所における受信可能チャンネルおよび受信状態の状態を送信する。また受信状態管理装置は、デジタル放送受信装置からその受信位置および受信状態の情報を得る。そして、デジタル放送受信装置から得た情報を用いて受信状態の管理情報を更新することにより、常に最新の情報を用いてチャンネル更新を行うことができる。
【００１３】
また、本発明に係るデジタル放送受信装置は、移動体通信により通信を行うための移動体通信手段を備え、前記受信状態管理装置との通信では移動体通信による通信を行うことを特徴とするものである。
【００１４】
また、本発明に係る受信状態管理装置は、移動体通信可能なデジタル放送受信装置が移動体通信により通信している移動体通信基地局の位置に基づいて通信相手のデジタル放送受信装置の位置を認識するための手段を備え、前記移動体通信基地局単位の受信状態管理を行うことを特徴とするものである。
【００１５】
すなわち、本発明では、受信状態管理装置とデジタル放送受信装置の間で移動体通信による通信を行う。そして、デジタル放送受信装置は、移動体通信に用いられている移動体通信基地局の位置に基づいてデジタル放送受信装置の位置を認識し、移動体通信基地局単位の受信状態管理を行うことにより、移動体通信を用いた場合であっても正確な情報管理を行うことができる。
【００１６】
また、本発明に係る受信状態管理装置は、通信により、画像、文字情報および音声を前記デジタル放送受信装置に送信するための手段を備え、前記デジタル放送受信装置側で画像、文字情報および音声を出力することを可能としたことを特徴とするものである。
【００１７】
また、本発明に係るデジタル放送受信装置は、前記受信状態管理装置から送信された画像、文字情報および音声をユーザーに対して出力するための手段を備え、有用情報の通知や広告等の提供を行うことを特徴とするものである。
【００１８】
すなわち、本発明では、受信状態管理装置からデジタル放送受信装置に対して、画像、文字情報および音声を送信する。そして、デジタル放送受信装置は、受信した画像、文字情報および音声をユーザーに対して出力することにより、有用情報の通知や広告等の提供を行うことができる。
【００１９】
また、本発明に係る受信状態管理装置は、前記デジタル放送受信装置のソフトウエアを変更するためのソフトウエアモジュールを、前記デジタル放送受信装置を使用する地域に対応させて保持するための手段を備え、
前記デジタル放送受信装置に対して所望のソフトウエアモジュールを送信することを特徴とするものである。
【００２０】
また、本発明に係るデジタル放送受信装置は、前記受信状態管理装置と通信を行うことにより、ソフトウエアモジュールを得るための手段と、
該ソフトウエアモジュールを追加あるいは置き換えることにより諸機能を変更するための手段とを備えたことを特徴とするものである。
【００２１】
すなわち、本発明では、受信状態管理装置からデジタル放送受信装置に対して、当該デジタル放送受信装置が設置されている地域に対応させたソフトウエアモジュールを送信する。そして、デジタル放送受信装置は、受信したソフトウエアモジュールを追加あるいは置き換えることにより諸機能を変更することができる。
【００２２】
【発明の実施の形態】
以下、図面を参照して、本発明に係る受信状態管理装置およびデジタル放送受信装置の一実施形態を説明する。
【００２３】
図１は、本発明の一実施形態に係る受信状態管理装置とデジタル放送受信装置の関係説明図、図２は、本発明の一実施形態に係る受信状態管理装置の構成を示すブロック図、図３は、本発明の一実施形態に係るデジタル放送受信装置の構成を示すブロック図である。
【００２４】
ところで、デジタル放送の分野では、その放送形態が、従来の衛星放送からケーブル放送および地上波へと確実に進展しており、このような状況のなかで、移動を伴いながらデジタル地上波放送を視聴するには、受信可能チャンネルの情報を得る手段が必要となる。この点、従来の技術では、チャンネルメモリによる方法と受信可能チャンネルをサーチすることにより受信可能チャンネルの情報を得ていた。
【００２５】
これに対して、本発明に係るデジタル放送受信装置では、受信状態管理装置から、通信により受信可能チャンネルについての情報を取得するようになっている点に特徴を有している。
【００２６】
＜受信状態管理装置とデジタル情報受信装置の関係＞
本発明の実施形態に係る受信状態管理装置１は、図１に示すように、受信状態を管理するためのデータベースを有しており、通信回線９によりデジタル放送受信装置（以下、受信機６と称する）と接続されている。また、適宜な位置に、地上波放送送信塔２、移動体通信基地局（Ａ）３、移動体通信基地局（Ｂ）４、移動体通信基地局（Ｃ）５が設置されている。
【００２７】
受信機６は、移動体通信手段を備えており、近接する移動体通信基地局（図１に示す例では移動体通信基地局（Ｂ）４）を経由して受信状態管理装置１と通信し、受信可能チャンネルなどの情報を受け取る。そして、受け取った情報を用いて一旦受信が成功すれば、その受信状態（アンテナ強度、ビットエラーレート等）を受信状態管理装置１に送信する。
【００２８】
受信機６が使用する移動体通信基地局（図１に示す例では移動体通信基地局（Ｂ）４）は受信位置に近いものになるため、使用する移動体通信基地局（Ｂ）４の位置から受信機６が存在するエリアを特定することができる。また、受信状態管理装置１は、通信回線９を介して移動体通信事業者の管理装置（図示せず）と接続されており、受信機６の位置情報を移動体通信事業社の管理装置から通信回線９を経由して受け取り、受信機６の位置を特定する。
【００２９】
このように受信機６の位置を特定することができるため、受信状態管理装置１は、その受信位置に対応した受信可能チャンネル情報を、データベースから検索して受信機６に提供する。さらに、受信機６から送られる受信状況データによってデータベースを更新するが、その他の複数の受信機６からもデータを得ることができるため、データベースの情報は充実した最新のものとなる。
【００３０】
このように受信状態を管理することにより、その情報を地上波放送送信塔２のメンテナンスや制御に役立てることも可能になる。例えば、受信状態が悪化したら、電波の送出強度を上げるなどの対応が可能となる。
【００３１】
また、受信状態管理装置１は、受信機６と通信回線９で接続されており、受信機６の位置も検出できているため、その受信エリアに対応した有用情報や広告の提供も可能である。そして、その広告収入を受信状態管理装置１の運営に当てることが可能となる。
【００３２】
＜受信状態管理装置＞
受信状態管理装置１は、図２に示すように、ネットワーク回線端子３１により通信回線９に接続されているとともに、移動体通信事業者の管理装置（図示せず）と接続されており、通信部３２はコントローラ３４からの制御により受信機６や移動体通信事業社の管理装置と通信を行う。
【００３３】
コントローラ３４は、通信によって得られた受信機６の位置に対応した受信状態を複数の受信状態管理メモリ３５から検索し、受信可能チャンネルなどの情報を受信機６へ通信回線９を経由して提供する。
【００３４】
また、複数のソフトモジュールライブラリ３６から受信地点と受信機６に対応したソフトモジュールを検索し、受信機６に提供することができる。さらに、必要に応じて、画像、文字情報、音声用メモリ３３に記憶された内容データを受信機６に送信する。これらの画像、文字情報、および音声のデータは、受信エリア固有の情報、広告、受信機６へのメッセージ等に使用することができる。なお、受信機６の位置は、移動体通信基地局単位での管理が容易なので、受信状態管理メモリ３５とソフトモジュールライブラリ３６は、移動体通信基地局の単位で分割してもよい。例えば、図２においては、移動体通信基地局の単位として、Ａ地点、Ｂ地点、Ｃ地点、…、Ｚ地点に分割されている。
【００３５】
＜受信機（デジタル放送受信装置）＞
受信機６は、図３に示すように、移動体通信アンテナ２５および移動体通信部２６を介して受信状態管理装置１と通信することにより、受信可能チャンネル情報を得ることができる。得られた情報はコントローラ２２に送られ、コントローラ２２はメモリ２７に保持している受信可能チャンネル情報を更新する。
【００３６】
そして、ユーザー操作により新たな受信可能チャンネルが選択されると、受信可能チャンネル情報からチューナー１２を制御し、デジタル放送受信アンテナ１１からの放送波を受信する。
【００３７】
チューナー１２によって抽出された所望の周波数帯の受信信号は、デジタル復調部１３に供給され、アナログ−デジタル変換、ＯＦＤＭなどのデジタル復調を行い、最後に誤り訂正を行い、デジタル信号（トランスポートストリーム）となって信号分離部（デマルチプレクサ）１４に供給される。
【００３８】
信号分離部１４で抽出された映像データは映像復号部１５へ供給され、音声データは音声復号部１６へ供給される。映像復号部１５では、圧縮された映像データが復号され、加算部１７に供給される。加算部１７では、ＯＳＤ発生部２３から供給されるＯＳＤを映像に重ね合わせ映像出力端子１９へ出力する。また、音声復号部１６では、圧縮された音声データが復号され加算部１８に供給される。加算部１８では、音声発生部２４から供給される音声を混合して、音声出力端子２０へ出力する。
【００３９】
メモリ２７は、コントローラ２２の動作プログラムを保持するとともに、受信状態管理装置１から受け取った受信状態情報、画像、文字情報、音声データおよびソフトウエアモジュールを保持する。なお、コントローラ２２は、リモコン受光部２１を備えており、リモコンからの赤外線信号を受信できるようになっている。
【００４０】
コントローラ２２は、メモリ２７に保持されているプログラムの制御により、以下の手順で受信機６の全体を制御する。
【００４１】
（１）移動体通信アンテナ２５および移動体通信部２６により、受信状態管理装置１側と通信して提供された受信可能チャンネル情報をメモリ２７に格納する。
【００４２】
（２）ユーザー操作あるいは受信状態管理装置１側からの指示により、チューナー１２、デジタル復調部１３を設定して、放送を受信する。
【００４３】
（３）受信電波強度やビットエラーレート等の受信状態をチューナー１２とデジタル復調部１３から読み出し、それらのデータを移動体通信部２６と移動体通信アンテナ２５を経由して受信状態管理装置１側に送信する。
【００４４】
（４）移動体通信アンテナ２５および移動体通信部２６により、受信状態管理装置１側と通信して提供された画像、文字情報、および音声データを受け取り、メモリ２７に格納する。
【００４５】
（５）ユーザー操作あるいは受信状態管理装置１側からの指示により、メモリ２７に格納した画像および文字情報をＯＳＤ発生部２３に供給し、音声データを音声発生部２４に供給する。そして、ＯＳＤ発生部２３により、画像と文字情報を表示させるＯＳＤを作成し、音声発生部２４により、音声を作成し、放送をデコードした映像および音声を混合してユーザーに提供する。
【００４６】
（６）移動体通信アンテナ２５および移動体通信部２６により、受信状態管理装置１と通信して提供されたソフトウエアモジュールを受け取り、メモリ２７に格納する。
【００４７】
（７）ユーザー操作あるいは受信状態管理装置１側からの指示により、メモリ２７に格納したソフトウエアモジュールを用いて動作プログラムを変更し、受信機６の諸機能を変更する。
【００４８】
【発明の効果】
本発明に係る受信状態管理装置によれば、複数のデジタル放送受信装置から受信状態の情報を得ることにより、最新の受信状態を管理することができる。また、その情報をデジタル放送受信装置に送信することにより、デジタル放送受信装置が受信可能チャンネルなどの情報を受け取ることができる。
したがって、デジタル放送受信装置がチャンネルサーチを行う必要がなくなり、ユーザーが放送を視聴しながらチャンネル設定を更新することが可能となる。また、常に最新の受信状態を管理できるため、その情報を放送設備のメンテナンスに活用することができる。さらに、受信状態に応じて送出レベルを制御して、天候等の影響により受信悪化を軽減することも可能である。
【００４９】
また、本発明に係るデジタル放送受信装置によれば、受信状態管理装置から受信可能チャンネルなどの情報を受け取ることができるため、チャンネルサーチを行う必要がなくなり、ユーザーが放送を視聴しながらチャンネル設定の更新を行うことが可能となる。
【００５０】
また、本発明に係るデジタル放送受信装置によれば、移動体通信を用いて、移動しながら受信管理システムから受信可能チャンネルなどの情報を受け取ることができるため、移動を伴う受信においてもチャンネルサーチを行う必要がなくなり、ユーザーが放送を視聴しながらチャンネル設定を更新することが可能となる。すなわち、放送の視聴中にチャンネル設定の更新を実行することができるため、常に受信可能チャンネルを更新しておくことができ、地上波での移動体受信に最適な装置を構成することが可能となる。
【００５１】
また、本発明に係る受信状態管理装置によれば、デジタル放送受信装置が使用している移動体通信基地局の位置情報から、当該デジタル放送受信装置の位置情報を得ることができるため、デジタル放送受信装置側に特別な位置検出手段がない場合であっても、デジタル放送受信装置の位置に対応した受信情報を提供することが可能となる。
【００５２】
また、本発明に係る受信状態管理装置によれば、画像、文字情報および音声をデジタル放送受信装置に送信することができるため、ユーザーへの情報提供や広告による収入を得ることができ、広告収入を受信状態管理装置の運営に当てることが可能となる。
【００５３】
また、本発明に係るデジタル放送受信装置によれば、受信状態管理装置から受け取った画像、文字情報および音声を出力することができるため、有用情報や広告などをユーザーへ提供することが可能となる。
【００５４】
また、本発明に係る受信状態管理装置によれば、デジタル放送受信装置の位置に応じたソフトウエアモジュールをデジタル放送受信装置へ提供することができるので、受信地点に応じてデジタル放送受信装置の最適化を行うことが可能となる。
【００５５】
また、本発明に係るデジタル放送受信装置によれば、受信状態管理装置から受信位置に対応したソフトウエアモジュールを得ることにより、受信地点に適合したソフトウエアモジュールを組み込んで、デジタル放送受信装置の諸機能を変更することが可能となる。このため、例えば、デジタル放送受信装置を設置した地域の方言で画面表示を行うなどの楽しみ方が可能となる。
【図面の簡単な説明】
【図１】本発明の一実施形態に係る受信状態管理装置とデジタル放送受信装置の関係説明図である。
【図２】本発明の一実施形態に係る受信状態管理装置の構成を示すブロック図である。
【図３】本発明の一実施形態に係るデジタル放送受信装置の構成を示すブロック図である。
【符号の説明】
１  受信状態管理装置
２  地上波放送送信塔
３  移動体通信基地局（Ａ）
４  移動体通信基地局（Ｂ）
５  移動体通信基地局（Ｃ）
６  受信機（デジタル放送受信装置）
９  通信回線
１１  デジタル放送受信アンテナ
１２  チューナー
１３  デジタル復調部
１４  信号分離部
１５  映像復号部
１６  音声復号部
１７，１８  加算部
１９  映像出力端子
２０  音声出力端子
２１  リモコン受光部
２２  コントローラ
２３  ＯＳＤ発生部
２４  音声発生部
２５  移動体通信アンテナ
２６  移動体通信部
２７  メモリ
３１  ネットワーク回線端子
３２  通信部
３３  画像、文字情報、音声用メモリ
３４  コントローラ
３５  受信状態管理メモリ
３６  ソフトモジュールライブラリ
【図１】
2004254091.tif 000003
【図２】
2004254091.tif 000004
【図３】
2004254091.tif 000005